(57)【特許請求の範囲】
【請求項１】
光を出射する光源と、
第１面、及び前記第１面から入射した光が出射する第２面を有し、前記第１面から入射した光のうちの所定波長域の光を吸収する吸光部材と、
光入射面及び光出射面を有し、前記光入射面から入射した光を拡散し、前記光出射面から出射する光拡散部材と、を備え、
前記吸光部材は、前記第１面を前記光源の側に向け、前記第２面を前記光入射面の側に向けて配置される、
照明装置であって、
複数の前記光源を備え、
前記複数の光源が、前記第１面に沿って配置され、
前記吸光部材は、
前記第１面が前記第２面とは反対側の面であり、
前記第１面の側から前記第２面の側に透過する光における前記所定波長域の光の吸光量が、前記第１面における前記複数の光源からの光の光量の分布に応じた分布を有する、
照明装置。
【請求項２】
前記光拡散部材は、前記光入射面が前記光出射面に交差する導光板である、
請求項１に記載の照明装置。
【請求項３】
前記光入射面は、前記光出射面よりも小さく、
前記吸光部材は、前記光入射面に配置される、
請求項１又は２に記載の照明装置。
【請求項４】
前記吸光部材は、
前記所定波長域の光を吸収する吸光材料を含有する吸光部と、
前記吸光部を収容する透光性の筐体と、を備える、
請求項１から３のいずれか１項に記載の照明装置。
【請求項５】
請求項１から４のいずれか１項に記載の照明装置と、
前記光拡散部材の前記光出射面に対向する表示パネルと、を備える
表示装置。
【発明の詳細な説明】
【技術分野】
【０００１】
本発明は、照明装置及び表示装置に関する。
【背景技術】
【０００２】
特許文献１には、液晶パネルと、バックライトと、を備える液晶ディスプレイ装置が記載されている。上記バックライトは、導光板と、導光板のサイドに所定間隔で配列された複数のＬＥＤ光源と、導光板の光出射側に設けられた光学シートと、を備える。光学シートは、赤（Ｒ）、緑（Ｇ）の中間発光色（ＲＧ中間色）、すなわち黄色の波長域の光をカットする中間発光色カット層を備えている。導光板から出射され、光学シートを透過した光が、照明光として液晶パネルを照明する。
【０００３】
特許文献１では、中間発光色カット層にてＲＧ中間色をカットすることにより、ＬＥＤ光源を用いるためにバックライトの演色性が劣化し、ひいては液晶ディスプレイの色再現性が劣化するとの課題の解決を図っている。
【先行技術文献】
【特許文献】
【０００４】
【特許文献１】特開２０１１−２２１４３６号公報
【発明の概要】
【発明が解決しようとする課題】
【０００５】
しかしながら、特許文献１では、中間発光色カット層が、導光板の光出射側に設けられているので、中間発光色カット層の面方向におけるムラが発生すると、演色性が低下するおそれがあった。
【０００６】
本発明の一態様は、演色性を向上させることができる照明装置及び表示装置を提供することを一つの目的とする。
【課題を解決するための手段】
【０００７】
本発明の第１の態様に係る照明装置は、光を出射する光源と、第１面、及び前記第１面から入射した光が出射する第２面を有し、前記第１面から入射した光のうちの所定波長域の光を吸収する吸光部材と、光入射面及び光出射面を有し、前記光入射面から入射した光を拡散し、前記光出射面から出射する光拡散部材と、を備え、前記吸光部材は、前記第１面を前記光源の側に向け、前記第２面を前記光入射面の側に向けて配置される。
【０００８】
本発明の第２の態様に係る照明装置は、上記第１の態様において、前記光拡散部材は、前記光入射面が前記光出射面に交差する導光板である。
【０００９】
本発明の第３の態様に係る照明装置は、上記第１又は第２の態様において、前記光入射面は、前記光出射面よりも小さく、前記吸光部材は、前記光入射面に配置される。
【００１０】
本発明の第４の態様に係る照明装置は、上記第１から第３のいずれか１の態様において、前記吸光部材は、前記所定波長域の光を吸収する吸光材料を含有する吸光部と、前記吸光部を収容する透光性の筐体と、を備える。
【００１１】
本発明の第５の態様に係る照明装置は、上記第１から第４のいずれか１の態様において、複数の前記光源を備え、前記複数の光源が、前記第１面に沿って配置され、前記吸光部材は、前記第１面が前記第２面とは反対側の面であり、前記第１面の側から前記第２面の側に透過する光における前記所定波長域の光の吸光量が、前記第１面における前記複数の光源からの光の光量の分布に応じた分布を有する。
【００１２】
本発明の第６の態様に係る照明装置は、上記第１から第３のいずれか１の態様において、前記吸光部材は、前記第１面が前記第２面と交差し、前記第１面から入射した光を前記第２面に導く導光部材を有する。
【００１３】
本発明の第７の態様に係る照明装置は、上記第６の態様において、前記導光部材が、所定波長域の光を吸収する吸光材料を含有する。
【００１４】
本発明の第８の態様に係る照明装置は、上記第７の態様において、前記吸光材料の含有率が、前記第１面からの距離の増大に応じて減少する。
【００１５】
本発明の第９の態様に係る表示装置は、上記第１から第８のいずれか１の態様に記載の照明装置と、前記光拡散部材の前記光出射面に対向する表示パネルと、を備える。
【図面の簡単な説明】
【００１６】
【図１】第１の実施形態に係る表示装置を備えるテレビジョン受信機の一例を模式的に示す図である。
【図２】第１の実施形態に係る表示装置の概略構成を示す図である。
【図３】第１の実施形態に係る表示装置の概略構成を示す図である。
【図４】第１の実施形態の一変形例である第１変形例に係る表示装置の概略構成を示す図である。
【図５】第１の実施形態の一変形例である第２変形例に係る表示装置の概略構成を示す図である。
【図６】第１の実施形態の一変形例である第３変形例に係る表示装置の概略構成を示す図である。
【図７】第１の実施形態の一変形例である第３変形例に係る表示装置の概略構成を示す図である。
【図８】第２の実施形態に係る表示装置の概略構成を示す図である。
【図９】第２の実施形態の一変形例である第４変形例に係る表示装置の概略構成を示す図である。
【発明を実施するための形態】
【００１７】
以下、本発明の一態様に係る照明装置及び表示装置について、図面を参照しつつ説明する。なお、以下の説明では、図中に矢印で示す、前、後、左、右、上、及び下のそれぞれの向きを使用する。図面については、同一又は同等の要素には同一の符号を付し、重複する説明は省略する。なお、本発明は、後述する実施形態の構成に限定されるものではなく、本発明の技術的思想の範囲内、即ち、同一の作用効果を発揮できる構成等の範囲内で変更できる。
【００１８】
（第１の実施形態）
以下、本発明の一態様に係る照明装置及び表示装置の第１の実施形態について説明する。図１は、第１の実施形態に係る照明装置及び表示装置を備えるテレビジョン受信機の外観の概略構成を示す図である。図１に示すように、テレビジョン受信機１０１は、表示装置１１０と、受信部１２０と、信号処理部１３０と、を備えている。表示装置１１０は、画像を表示する表示面１１１を有する。表示装置１１０には受信部１２０及び信号処理部１３０が内蔵されている。なお、受信部１２０及び信号処理部１３０は、表示装置１１０の外部に設けられてもよい。
【００１９】
テレビジョン受信機１０１は、例えば図示しないスタンドに支持されて据え置きされるか、又は、図示しない金具に掛止されて壁掛けされる。このとき、表示装置１１０の表示面１１１は前側に向けられ、表示装置１１０の厚み方向、長手方向、及び短手方向は、それぞれ前後方向、左右方向、及び上下方向に沿う。
【００２０】
受信部１２０は、受信回路が実装された回路基板である。受信部１２０は、図示しないアンテナを介して外部からテレビジョン放送を受信し、受信したテレビジョン放送に基づく放送信号を出力する。
【００２１】
信号処理部１３０は、信号処理回路が実装された回路基板である。信号処理部１３０は、受信部１２０が出力した放送信号に所定の信号処理を施すことによって、映像データを出力する。信号処理部１３０が出力した映像データに基づく映像は、表示装置１１０の表示面１１１に表示される。
【００２２】
（表示装置の構成）
図２は、表示装置１１０の一例を模式的に示す図である。表示装置１１０は、表示パネル２０１と、バックライト２０２と、を含み構成される。なお、図２では図示を省略しているが、表示装置１１０は、表示パネル２０１を支持するパネルシャーシ、及び、バックライト２０２を支持するバックライトシャーシを備える。例えば、パネルシャーシがバックライトシャーシに固定されることにより、表示パネル２０１がバックライト２０２の前側に配置される。
【００２３】
表示パネル２０１は、前後方向の平面視にて略矩形状の外形を有し、表示面１１１（図１参照）に画像を表示する。表示パネル２０１は、例えば、液晶パネル２１１と、液晶パネル２１１を前後方向に挟むように配置される一対の偏向板２１２，２１３と、を備える。液晶パネル２１１は、カラーフィルタが形成されたカラーフィルタ基板と、ＴＦＴアレイが形成されたアレイ基板と、これら一対の基板の間に位置する液晶層と、を備える。
【００２４】
（バックライトの構成）
バックライト２０２は、本発明の一態様に係る照明装置の一実施形態であり、図２に示すように、表示パネル２０１の後側に配置され、表示パネル２０１に向かって照明光を照射する。
【００２５】
バックライト２０２は、光源部２０３と、導光板２０４と、反射シート２０５と、光学シート２０６と、吸光部材２０７と、を備える。図２に示すように、バックライト２０２は、エッジ型バックライトとして構成され、光源部２０３からの光が、導光板２０４の下面から入射され、導光板２０４の前面から前方に向かって出射される。
【００２６】
光源部２０３は、例えば、光源基板２３１と、光源２３２と、を備える。光源基板２３１は、導光板２０４の下面に沿って配置され、左右方向を長手方向とする回路基板である（図３参照）。光源基板２３１の上面には、複数の光源２３２が実装される。複数の光源２３２は、左右方向に略等間隔に配置される（図３参照）。
【００２７】
光源２３２は、光出射部２３３から上方に向かって、すなわち導光板２０４に向かって光を出射する。光源２３２は、白色光を出射可能であり、例えば、白色ＬＥＤである。白色ＬＥＤは、例えば、青色ＬＥＤチップと、青色の補色である黄色の蛍光を発生させる蛍光体と、を含み構成されている。光源２３２は、青色光（例えば波長域が約４２０ｎｍ〜約５００ｎｍ）と、黄色光（例えば波長域が約５７０ｎｍ〜約５９０ｎｍ）と、を同時に出射することにより、白色光を出射する。
【００２８】
導光板２０４は、図２及び図３に示すように、前後方向の平面視にて略矩形状の外形を有する板状の光学部材である。導光板２０４は、光入射面２４１と、光出射面２４２と、対向面２４３と、を備える。導光板２０４は、光拡散部材の一例であり、光入射面２４１から入射した光を内部で拡散させて、光出射面２４２から出射する。
【００２９】
図２に示す例では、光入射面２４１は、導光板２０４の下面である。光出射面２４２は、導光板２０４の前面であり、光入射面２４１に交差する面である。導光板２０４の上下方向及び左右方向の寸法は、前後方向の寸法よりも大きい。すなわち、光入射面２４１の面積は、光出射面２４２の面積よりも小さい。
【００３０】
対向面２４３は、導光板２０４の後面であり、光入射面２４１とは反対側の面である。対向面２４３は、例えば、導光板２０４の内部において、対向面２４３に入射する光を光入射面２４１の側に反射させるためのドットパターンが形成されている。
【００３１】
反射シート２０５は、導光板２０４の光入射面２４１及び光出射面２４２以外の面、例えば、対向面２４３に沿って配置されている。反射シート２０５は、光入射面２４１から入射した光が、光出射面２４２以外の面から出射されることを抑制でき、光の利用効率を向上させることができる。
【００３２】
光学シート２０６は、例えば、マイクロレンズシート、プリズムシート、反射型偏光シート、及び拡散シート等の１又は複数である。光学シート２０６は、導光板２０４の光出射面２４２の側に配置される。
【００３３】
吸光部材２０７は、第１面に相当する入射面２７１と、第２面に相当する出射面２７２と、を有する。吸光部材２０７は、入射面２７１から入射した光のうちの所定波長域の光の少なくとも一部を吸収し、出射面２７２から出射する。
【００３４】
吸光部材２０７は、入射面２７１が光源２３２に向き、出射面２７２が導光板２０４の光入射面２４１に向くように配置されている。本実施形態では、吸光部材２０７は、導光板２０４の光入射面２４１に形成されている。光源２３２から出射された光が、吸光部材２０７の入射面２７１に入射し、出射面２７２から出射して、導光板２０４の光入射面２４１に入射する。
【００３５】
入射面２７１は、光源２３２の光出射部２３３に対向する。本実施形態では、複数の光源２３２が、光入射面２４１に沿って左右方向に配列されている（図３参照）。入射面２７１は、これら複数の光源２３２に沿う面である。換言すると、複数の光源２３２は、光出射部２３３を吸光部材２０７の入射面２７１に沿って配置されている。光源２３２は、光出射部２３３を吸光部材２０７の入射面２７１の側に向けて配置されている。
【００３６】
出射面２７２は、導光板２０４における光入射面２４１の側に位置する。本実施形態では、出射面２７２は、入射面２７１とは反対側の面であり、導光板２０４の光入射面２４１に接している。光源２３２から出射された光は、入射面２７１に入射し、出射面２７２から出射され、導光板２０４の光入射面２４１に入射する。
【００３７】
吸光部材２０７は、上述のように所定波長域の光を吸収する。吸光部材２０７は、例えば、透光性を有する樹脂材料に、吸光材料を含有させて構成される。吸光部材２０７は、例えば、所定波長域の光を吸収する色素が含有された光硬化性樹脂が光入射面２４１に塗布され、硬化されることにより形成される。これにより、塗布及び硬化という簡易な工程により、吸光部材２０７を形成することができる。
【００３８】
本実施形態では、所定波長域は、例えば、赤（Ｒ）と緑（Ｇ）の中間色（以下、ＲＧ中間色とも称する）である黄（Ｙ）に相当する波長域である。本実施形態の光源２３２は、青色ＬＥＤチップと、黄色の蛍光を発生させる蛍光体と、を備え、青色光と黄色光とを同時に出射する。光源２３２から出射される白色光は、例えば、冷陰極管から出射される光や自然光と比べて、赤（例えば波長域が約６００ｎｍ〜約７８０ｎｍ）や緑（例えば波長域が約５００ｎｍ〜約５７０ｎｍ）の波長成分が少なく、演色性が低下する場合がある。この場合でも、吸光部材２０７は、光源２３２からの光のうち、ＲＧ中間色である黄の波長域（例えば波長域が約５７０ｎｍ〜約５９０ｎｍ）の光少なくとも一部を吸収することにより、黄（Ｙ）に対する赤（Ｒ）及び緑（Ｇ）の光量を相対的に増大させることができる。したがって、吸光部材２０７を設けることにより、バックライト２０２から出射される照明光の演色性を向上させることができる。
【００３９】
なお、所定波長域は、光源２３２の発光特性に応じて、バックライト２０２の照明光の演色性を向上可能なように適宜設定される。例えば、光源２３２からの光が、緑（Ｇ）と青（Ｂ）の中間色（ＧＢ中間色）の波長域の光を、所望量を超えて含む場合がある。この場合、所定波長域が、ＧＢ中間色の波長域に設定される。また、吸光部材２０７は、複数の波長域の光を吸光可能なように、互いに吸光特性が異なる複数種類の吸光材料を用いて形成されてもよい。
【００４０】
ここで、吸光部材が、導光板２０４の光出射面２４２の側に配置する場合、吸光部材から出射された光が、照明対象である表示パネル２０１を照明する。したがって、光出射面２４２の面内方向に、吸光部材の吸光特性のムラが存在すると、バックライト２０２からの照明光のスペクトル特性に面内方向のムラ、すなわち色ムラが生じる。これにより、バックライト２０２の演色性が低下し、表示装置１０１の色再現性が低下するおそれがある。
【００４１】
上記課題に対して、本実施形態では、吸光部材２０７は、入射面２７１が光源２３２の側に向くように配置される。また、吸光部材２０７は、出射面２７２が、導光板２０４の光入射面２４１に向くように配置される。このため、光源２３２から出射され、吸光部材２０７に入射する。吸光部材２０７の透過光が、導光板２０４に入射し、導光板２０４の内部で拡散され、照明光として光出射面２４２から照射される。したがって、吸光部材２０７の吸光特性に、例えば、光入射面２４１に平行な面内方向におけるムラが生じている場合でも、吸光部材２０７の透過光が、導光板２０４の内部で拡散されて、照明光として光出射面２４２から出射される。したがって、吸光部材２０７の吸光特性のムラによる演色性の低下を抑制できる。ひいては、表示装置１０１の色再現性の低下を抑制でき、表示品位の向上を図ることができる。
【００４２】
また、導光板２０４の光入射面２４１が、光出射面２４２に交差する。すなわち、図２に例示するように、導光板２０４は、入射光軸Ｌ１と出射光軸Ｌ２が略直交している。このため、吸光部材２０７の透過し、光入射面２４１から導光板２０４に入射した光は、導光板２０４の内部で拡散、混合されて、光出射面２４２から出射される。したがって、例えば、光入射面の反対側に光出射面が配置される拡散板を透過させる場合と比べて、吸光部材２０７の面内方向のムラによる演色性の低下をより好適に抑制できる。
【００４３】
また、吸光部材２０７は、光出射面２４２よりも小さい光入射面２４１に形成される。これにより、例えば、光出射面２４２に吸光部材が形成される場合と比べて、吸光部材２０７の小型化を図ることができ、製造上の効率の向上を図ることができる。
【００４４】
（第１の実施形態の変形例：第１変形例）
図４は、第１の実施形態の一変形例である第１変形例に係る表示装置４０１を模式的に示す図である。図４に示す表示装置４０１では、吸光部材４０２が吸光シートである点で、第１の実施形態の表示装置１１０と相違する。図４に示すように、吸光部材４０２は、基材層４２１と、吸光層４２２と、を備える吸光シートである。
【００４５】
基材層４２１は、透光性を有するシート状の部材であり、例えば、ポリカーボネート、アクリル、及びポリスチレン等の各種の合成樹脂により形成される。
【００４６】
吸光層４２２は、基材層４２１の一面に設けられ、所定波長域の光の一部を吸収する。吸光層４２２は、例えば、所定波長域の光を吸収する色素が、透明樹脂材料に含有され構成される。
【００４７】
吸光部材４０２は、導光板２０４の光入射面２４１に配置されている。吸光部材４０２は、例えば、光入射面２４１に、接着剤によって固定されている。図４に示す例では、吸光部材４０２は、吸光層４２２の側を光入射面２４１に向けて、基材層４２１の側を光源２３２に向けて配置されている。
【００４８】
変形例１に係る表示装置４０１は、シート状の吸光部材４０２を用いる。したがって、導光板２０４の光入射面２４１の形状や寸法等に応じて吸光シートを成形したり、加工したりすることが容易である。また、シート状の吸光部材４０２を光入射面２４１に接着固定できるため、光源２３２と光入射面２４１との間に吸光部材４０２を配置することが容易である。
【００４９】
（第１の実施形態の変形例：第２変形例）
図５は、第１の実施形態の一変形例である第２変形例に係る表示装置５０１を模式的に示す図である。図５に示す表示装置５０１では、吸光部材５０２が、吸光部材の入射面５２１における光量分布に応じた吸光量の分布を有する点で、第１の実施形態の表示装置１１０と相違する。
【００５０】
図５に示すように、吸光部材５０２は、導光板２０４の光入射面２４１に沿って配置される。吸光部材５０２は、入射面５２１と、入射面５２１とは反対側の出射面５２２と、を備える。吸光部材５０２は、入射面５２１の面内方向における吸光量の分布が、入射面５２１における、光源部２０３からの光の光量分布に応じた分布を有する。ここで、吸光量は、入射面５２１の側から出射面５２２の側に（図５の例では上方に向かって）透過する光における所定波長域の光の吸光量である。
【００５１】
吸光部材５０２は、例えば、入射面５２１における光量が多い位置では、光量が少ない位置と比べて、吸光量が多くなるように構成されている。これにより、入射面５２１において、複数の光源２３２を含む光源部２０３からの光の光量にムラがあったとしても、吸光部材５０２の出射面５２２から出射される光の色むらを低減させることができ、演色性を向上させることができる。
【００５２】
なお、図５に示す例では、入射面５２１において、光源２３２からの距離が近いほど、当該光源２３２からの光の光量が多くなるものとする。また、吸光部材５０２における光源２３２に対向する第１対向位置５０３は、隣り合う２つの光源２３２の中間位置に対向する第２対向位置５０４と比べて、入射面５２１における光源部２０３からの光の光量が多くなるものとする。
【００５３】
吸光部材５０２は、第１対向位置５０３を含む第１吸光部材５２３と、第２対向位置５０４を含む第２吸光部材５２４と、を有する。第１吸光部材５２３と第２吸光部材５２４とは、左右方向に沿って交互に配置される。
【００５４】
第１吸光部材５２３は、第２吸光部材５２４よりも、所定波長の光の吸光量が大きくなるように構成されている。換言すると、吸光部材５０２は、光源２３２に対向する第１対向位置５０３と、隣り合う二つの光源２３２の中間位置と対向する第２対向位置５０４と、で吸光量が異なる。
【００５５】
第１吸光部材５２３は、例えば、第２吸光部材５２４よりも、色素等の吸光材料の含有量が多くなるように構成されている。また、第１吸光部材５２３は、第２吸光部材５２４よりも吸光率が大きい吸光材料を含有させてもよい。
【００５６】
第１吸光部材５２３及び第２吸光部材５２４は、一体的に形成されてもよい。例えば、基材の上に、第１吸光部材５２３に相当する第１吸光層と、第２吸光部材５２４に相当する第２吸光層と、が設けられてもよい。
【００５７】
（第１の実施形態の変形例：第３変形例）
図６は、第１の実施形態の一変形例である第３変形例に係る表示装置６０１を模式的に示す図である。図６に示す表示装置６０１では、吸光部材６０２が、吸光部６２１が筐体６２２に収容されて構成される点で、第１の実施形態の表示装置１１０と相違する。
【００５８】
図６に示すように、吸光部材６０２は、吸光部６２１と、筐体６２２と、を備える。吸光部材６０２は、導光板２０４の光入射面２４１に沿って配置されている。吸光部材６０２は、光源２３２からの光が入射する入射面６２３と、入射面６２３から入射した光が出射する出射面６２４とを有する。
【００５９】
吸光部６２１は、ＲＧ中間色に対応する所定波長域の光の一部を吸収する。吸光部６２１は、例えば、所定波長域の光を吸収する色素が、透明樹脂材料に含有され構成される。前後方向において、吸光部６２１の寸法は、例えば、光源２３２の光出射部の寸法よりも大きい。これにより、光源２３２からの光の一部が、吸光部６２１を透過せずに導光板２０４に入射することを抑制できる。
ことが
【００６０】
筐体６２２は、吸光部６２１を収容する。筐体６２２は、透光性を有する材料、例えば、略透明なガラス材料や樹脂材料等により形成される。吸光部６２１を筐体６２２に収容することにより、吸光部６２１の変形を抑制できる。また、吸光部６２１が露出して外気に触れることによる光学特性の変化を抑制できる。
【００６１】
筐体６２２は、左右方向に延びる棒状の外形を有する。筐体６２２は、左右方向に交差する面（上下方向及び前後方向に沿う面）は略矩形状の外形を有する。筐体６２２の光源２３２側の面が、吸光部材６０２の入射面６２３であり、導光板２０４側の面が、吸光部材６０２の出射面６２４である。例えば、出射面６２４が光入射面２４１に接着剤により固定される。
【００６２】
図７は、表示装置６０１の光源部２０３、導光板２０４、及び吸光部材６０２を前方から見た場合の構成を模式的に示す図である。図６に示すように、複数の光源２３２の配列方向（左右方向）に、複数の吸光部材６０２が配置されている。すなわち、左右方向における吸光部材６０２の寸法が、光入射面２４１の寸法よりも小さい。図６に示す例では、左右方向における吸光部材６０２の寸法が、光入射面２４１の寸法の略半分の寸法である。２つの吸光部材６０２が、左右方向に光入射面２４１に沿って配置されている。
【００６３】
このように、左右方向に沿って、複数の吸光部材６０２を配置することにより、１つの吸光部材６０２を配置する場合と比べて、吸光部材６０２の左右方向の寸法を小さくすることができる。したがって、吸光部材６０２の取り扱いを容易とでき、管理効率や製造効率を向上させることができる。
【００６４】
左右方向における吸光部材６０２の端部７０１が、光源２３２の光出射方向（図７では上下方向）において、光源２３２の光出射部２３３と重ならない位置に配置される。つまり、端部７０１が、左右方向に配列された複数の光源２３２の中間位置と、光出射方向において重なる位置に配置されている。これにより、光源２３２からの光のうちの、吸光部６２１が設けられない端部７０１に入射する光の光量を低減できる。つまり、光源２３２からの光のうちの、吸光部材６０２の吸光部６２１が設けられた領域に入射する光の光量を増大させることができる。したがって、複数の吸光部材６０２を配置した場合に、端部７０１に光が入射することにより演色性向上の効果が低減するという不都合を抑制でき、演色性の向上を図ることができる。
【００６５】
なお、図７に示す例では、左右方向に２つの吸光部材６０２が配置されていたが、これに限定されず、３つ以上の吸光部材６０２が配置されてもよい。また、図７に示す例では、複数の吸光部材６０２の左右方向の寸法が同じであったが、これに限定されない。１つの吸光部材６０２と他の吸光部材６０２とで、左右方向の寸法が異なってもよい。
【００６６】
（第２の実施形態）
次に、第２の実施形態について説明する。なお、下記において第１の実施形態と同様である点については説明を省略する。第２の実施形態では、吸光部材が、導光部材を含み構成され、光源からの光が入射する入射面と、吸光部材に入射した光を出射する出射面とが交差する点で、第１の実施形態と異なる。
【００６７】
図８は、表示装置８０１の光源部２０３、導光板２０４、及び導光部材８０２を前方から見た場合の構成を模式的に示す図である。図８に例示する導光部材８０２は、吸光部材の一例であり、入射面８２１と、入射面８２１に交差する出射面８２２と、を有する。入射面８２１が光源２３２に対向し、出射面８２２が光入射面２４１に対向する。すなわち、導光部材８０２は、入射面８２１が光源２３２側を向き、出射面８２２が導光板２０４の光入射面２４１側を向くように配置されている。
【００６８】
導光部材８０２は、光源２３２から出射され入射面８２１から入射した光を、入射面８２１に交差する出射面８２２に導く。すなわち、入射面８２１に直交する入射光軸Ｌ３と、出射面８２２に直交する出射光軸Ｌ４とが、交差しており、本実施形態では一例として略直交している。出射面８２２から出射された光が、導光板２０４の光入射面２４１に入射する。
【００６９】
導光部材８０２は、光源２３２から出射され入射面８２１から入射した光を、入射面８２１に交差する出射面８２２に導く。これにより、例えば、複数の光源２３２を光入射面２４１に沿って配置する場合に、光源２３２の配置に起因して光入射面２４１に生じうる輝度ムラの発生を抑制できる。
【００７０】
図８に示す例では、導光部材８０２は、導光板２０４の光入射面２４１に沿って左右方向に延在する柱状の部材である。導光部材８０２の延在方向である左右方向の一端側（図８では左端側）の端面が入射面８２１である。また、導光部材８０２の延在方向と交差する方向である上下方向の一端側（図８では上端側）の端面が出射面８２２である。
【００７１】
導光部材８０２における、上下方向にて出射面８２２とは反対側の面には、導光部材８０２内の光を出射面８２２に向けて反射させる光反射パターンが形成されている。これにより、導光部材８０２内の光の一部が、入射面８２１から離れる方向に透過し、導光部材８０２内の光の他の一部が、出射面８２２から出射される。導光部材８０２は、例えば、光反射パターンとして、印刷によりトッドパターンが形成されている。ドットパターンのドットの分布密度は、入射面８２１から離れるほど高くなる。出射面８２２から出射される光の光量分布が、出射面８２２の面内において略均一となるように、ドットの分布密度が制御されることが好ましい。
【００７２】
導光部材８０２は、所定波長域の光の吸光する吸光材料を含有する。導光部材８０２は、透光性を有する材料、例えば、略透明なガラス材料や樹脂材料等に、吸光材料を混入させることにより、形成される。したがって、吸光材料が外部に露出しないので、吸光材料の劣化や損傷を抑制できる。また、予め製造した導光部材８０２を保管することが容易である。
【００７３】
図８に示す例では、入射面８２１は、出射面８２２よりも小さい。すなわち、導光板２０４の光入射面２４１と略同じ面積を有する出射面８２２よりも小さい入射面８２１に対向するように光源２３２が配置される。したがって、光入射面２４１に沿って光源２３２を配置するよりも、光源２３２の数を少なくすることができ、製造上の効率を向上させることができる。
【００７４】
（第２の実施形態の変形例）
導光部材８０２は、光入射面２４１に沿って入射面８２１（光源２３２）から離れる方向（図８では右方向）において、入射面８２１からの距離の増大に応じて、吸光材料の含有率が減少するように形成されてもよい。これにより、入射面８２１からの距離の増大に応じて、導光部材８０２内の光における所定波長域の光の吸光量を少なくすることができる。
【００７５】
ここで、導光部材８０２の入射面８２１から入射し、入射面８２１から離れる方向に向かって透過する光の一部は、出射面８２２から出射する。このため、入射面８２１から離れるほど、導光部材８０２内の光の光量が少なくなり、同様に所定波長域の光の光量も少なくなる。したがって、入射面８２１からの距離に応じて所定波長域の光の吸光量を少なくすることにより、所定波長域の光が過剰に吸光されて導光部材８０２から出射される光に色むらが生じることを抑制できる。
【００７６】
吸光率が異なる複数の吸光材料を用いることにより、吸光量を調整してもよい。例えば、入射面８２１の距離が近い領域では、距離が遠い領域より、吸光率が大きい吸光材料を用いてもよい。これにより、入射面８２１からの距離の増大に応じて、所定波長域の光の吸光量を低減できる。また、異なる吸光率を有する複数の吸光材料を用いて、これらの含有率を入射面８２１からの距離に応じて適宜調整することにより、吸光量を調整してもよい。
【００７７】
導光部材８０２が吸光材料を含有していない構成を採用してもよい。例えば、導光部材は、入射面及び出射面のいずれかの面に沿って、吸光材料を含有する吸光層が形成されてもよい。
【００７８】
図９は、第２の実施形態の一変形例である第４変形例に係る表示装置９０１を模式的に示す図である。導光部材は、光入射面２４１に沿って光源２３２から離れる方向において、複数の部分に分かれて構成されてもよい。図９に示す例では、導光部材９０２は、光源２３２の側から、第１導光部材９０２Ａ、第２導光部材９０２Ｂ、及び第３導光部材９０２Ｃが配置され構成されている。第１導光部材９０２Ａの第２導光部材９０２Ｂとは反対側の端面が、導光部材９０２の入射面９２１である。光源２３２が、入射面９２１に対向して配置されている。入射面９２１から入射した光は、第１導光部材９０２Ａの側から、第３導光部材９０２Ｃの側に向かって、導光部材９０２内を透過する。
【００７９】
第１導光部材９０２Ａは、第２導光部材９０２Ｂよりも吸光材料の含有量が多くなるように構成されている。また、第２導光部材９０２Ｂは、第３導光部材９０２Ｃよりも吸光材料の含有量が多くなるように構成されている。これにより、入射面９２１からの距離に応じて所定波長域の光の吸光量を少なくすることができ、上述のように、導光部材９０２から出射される光に色むらが生じることを抑制できる。
【００８０】
各導光部材９０２Ａ，９０２Ｂ，９０２Ｃのそれぞれについて、吸光材料の含有量を一定とすることができる。したがって、入射面からの距離に応じて吸光材料の含有量が異なる導光部材を用いる場合よりも、各導光部材９０２Ａ，９０２Ｂ，９０２Ｃの製造が容易である。
【００８１】
なお、第１導光部材９０２Ａ、第２導光部材９０２Ｂ、及び第３導光部材９０２Ｃは、異なる吸光率を有する吸光材料を含有してもよい。例えば、第１導光部材９０２Ａは、第２導光部材９０２Ｂよりも高い吸光率を有する吸光材料を含有してもよい。さらに、第１導光部材９０２Ａ、第２導光部材９０２Ｂ、及び第３導光部材９０２Ｃのそれぞれについて、含有率を適宜調整してもよい。これにより、第１導光部材９０２Ａ、第２導光部材９０２Ｂ、及び第３導光部材９０２Ｃにおける、所定波長域の光の吸光量を調整できる。
【００８２】
（他の変形例）
本発明の一態様に係る照明装置及び表示装置は、上述の実施形態及び変形例に限定されず、本発明の技術的思想の範囲内において、各種の変形によって得られる構成は本発明に含まれるものである。
【００８３】
上記各実施形態では、本発明の一態様に係る表示装置として、液晶パネルを備える液晶ディスプレイを例示したが、本発明はこれ限定されない。例えば、有機ＥＬディスプレイ（Organic Electro Luminescence Display）等の、液晶パネル以外の透過型表示パネルを備えていてもよい。
【００８４】
また、本発明の一態様に係る表示装置として、画像が形成された半透明フィルムである表示パネルと、当該表示パネルを照明するバックライトと、を備えるサイネージ装置を例示できる。
【００８５】
上記各実施形態では、照明装置の一実施形態として、液晶パネルを備える液晶ディスプレイのバックライトを例示したが、本発明はこれ限定されない。例えば、光源と導光板とを備え、光源からの光を導光板によって導き、照明光として照射する照明装置に本発明を好適に用いることができる。
【００８６】
上記各実施形態では、光拡散学部材として導光板を備える照明装置を例示したが、本発明はこれに限定されない。例えば、光拡散部材として、拡散板を備えていてもよい。また、上記各実施形態では、照明装置の一例としてエッジ型のバックライトを例示したが、拡散板の後方に光源が配置される直下型のバックライトでもよい。
【符号の説明】
【００８７】
１０１  テレビジョン受信機
１１０,４０１,５０１，６０１，７０１，８０１，９０１  表示装置
１１１  表示面
１２０  受信部
１３０  信号処理部
２０１  表示パネル
２０２  バックライト
２０３  光源部
２０４  導光板
２０５  反射シート
２０６  光学シート
２０７，４０２，５０２，６０２  吸光部材
２３１  光源基板
２３２  光源
２３３  光出射部
２４１  光入射面
２４２  光出射面
２４３  対向面
２７１，５２１，６２３，８２１  入射面
２７２，５２２，６２４，８２３  出射面
４２１  基材層
４２２  吸光層
５０３  第１対向位置
５０４  第２対向位置
５２３  第１吸光部材
５２４  第２吸光部材
６２１  吸光部
６２２  筐体
７０１  端部
８０２，９０２  導光部材
８２１  入射面
８２２  出射面
９０２Ａ  第１導光部材
９０２Ｂ  第２導光部材
９０２Ｃ  第３導光部材
【図１】
0006924307.tif 000002
【図２】
0006924307.tif 000003
【図３】
0006924307.tif 000004
【図４】
0006924307.tif 000005
【図５】
0006924307.tif 000006
【図６】
0006924307.tif 000007
【図７】
0006924307.tif 000008
【図８】
0006924307.tif 000009
【図９】
0006924307.tif 000010